(57)【要約】【課題】正面に居るユーザに良い音質で音声を伝搬でき、且つ、デザインの自由度を増したスピーカ装置を提供する。【解決手段】上向きに設置されたスピーカユニットと、スピーカユニットの上に設けられたヘッドピースと、スピーカユニットとヘッドピースとの間で音声の伝搬を妨げない位置に設けられた発光素子と、を備えている。ヘッドピースは、スピーカユニットが放音した音声を横方向に反射するリフレクタを有し、発光素子は、リフレクタに向けて設けられている。リフレクタは、背板の下端角から、放音口の上辺に向けた２つの三角形を接合した形状の面であってもよい。【選択図】図１
2014216741.tif 000002
【特許請求の範囲】
【請求項１】
上向きに設置されたスピーカユニットと、
前記スピーカユニットの上に設けられ、前記スピーカユニットが放音した音声を横方向に反射するリフレクタを有するヘッドピースと、
前記スピーカユニットと前記ヘッドピースとの間であり、且つ、前記スピーカユニットと前記ヘッドピースとの間の音声の伝搬を妨げない位置に、前記リフレクタに向けて設けられた発光素子と、
を備えたスピーカ装置。
【請求項２】
前記ヘッドピースは、略立方体形状の本体部と該本体部の下方の周囲に形成されたスカートとを有し、
前記本体部の底板は、前記スピーカユニットの口径と略同じ径で開口され、
前記本体部の４つの側面のうち、隣接する２側面が切り欠かれて放音口とされ、他の２側面が前記音声の伝搬方向を規制する背板とされ、
前記発光素子は、前記スカートの内側の前記底板と前記スピーカユニットとの間であって、前記放音口側の角部に設けられている
請求項１に記載のスピーカ装置。
【請求項３】
前記リフレクタは、前記背板の下端角から、前記放音口の上辺に向けた２つの三角形を接合した形状の面である請求項２に記載のスピーカ装置。
【請求項４】
スピーカユニットの前面に設けられる音声反射用の部材であって、
略立方体形状の本体部と該本体部の下方に形成されたスカートを有し、
前記本体部は、
前記スピーカユニットの口径と略同じ径の開口部を有する底板と、
隣接する２側面を切り欠かいて設けられた放音口と、
他の２側面の壁面であり前記音声の伝搬方向を規制する背板と、
前記背板の下端角から、前記放音口の上辺に向けた２つの三角形を接合した形状の面であるリフレクタと、
を備えているヘッドピース。
【発明の詳細な説明】
【技術分野】
【０００１】
この発明は、スピーカユニットを上向きに設けたスピーカボックスに関する。
【背景技術】
【０００２】
一般的にスピーカ装置は、ユーザに対する正面方向である前面にスピーカユニットが取り付けられた箱型のものが多かった。したがって、ユーザの眼に触れる前面は、スピーカユニットが露出しているか、ネット状のフロントグリルに覆われているかであった。スピーカユニットが放音する音声の伝搬を妨げてはいけないため、多くの装飾を施すことができなかった。このため、従来のスピーカ装置は装飾性に欠けていた。
【先行技術文献】
【特許文献】
【０００３】
【特許文献１】特開２００７−２７４３１３号公報
【発明の概要】
【発明が解決しようとする課題】
【０００４】
そこで、スピーカユニットを上面や側面などに設ければ、ユーザの眼に触れる前面に自由に装飾を施すことができるが、そのような方向にスピーカユニットを設けると放音された音声が良い音質でユーザのところまで伝搬しなかった。また、上方や側方に向けて放音された音声を正面方向に反射させる部材を設けることも考えられるが、その部材によって却ってスピーカ装置を装飾的でなくしてしまうおそれがあった。
【０００５】
そこで、この発明は、正面に居るユーザに良い音質で音声を伝搬でき、且つ、デザインの自由度を増したスピーカ装置、および、このスピーカ装置に用いられるヘッドピースを提供することを目的とする。
【課題を解決するための手段】
【０００６】
本発明のスピーカ装置は、上向きに設置されたスピーカユニットと、スピーカユニットの上に設けられたヘッドピースと、スピーカユニットとヘッドピースとの間で音声の伝搬を妨げない位置に設けられた発光素子と、を備えている。ヘッドピースは、スピーカユニットが放音した音声を横方向に反射するリフレクタを有し、発光素子は、リフレクタに向けて設けられている。
【０００７】
本発明の他の形態では、ヘッドピースは、略立方体形状の本体部と該本体部の下方の周囲に形成されたスカートとを有し、本体部は、スピーカユニットの口径と略同じ径で開口された底板と、本体部の４つの側面のうち隣接する２側面が切り欠いて設けた放音口と、他の２側面の壁面である背板とを備えている。発光素子は、スカートの内側の底板とスピーカユニットとの間で放音口側の角部に設けられている。
また、リフレクタは、背板の下端角から、放音口の上辺に向けた２つの三角形を接合した形状の面であってもよい。
【０００８】
この発明のヘッドピースは、スピーカユニットの前面に設けられる音声反射用の部材であって、略立方体形状の本体部と該本体部の下方に形成されたスカートを有する。本体部は、スピーカユニットの口径と略同じ径の開口部を有する底板と、隣接する２側面を切り欠かいて設けられた放音口と、他の２側面の壁面であり音声の伝搬方向を規制する背板と、背板の下端角から放音口の上辺に向けた２つの三角形を接合した形状の面であるリフレクタとを備えている。
【発明の効果】
【０００９】
この発明によれば、スピーカユニットがユーザの正面に向いていなくても音声をユーザ方向へ反射させて伝搬できるとともに、音の反射面を光で装飾的に照明することが可能になる。
【図面の簡単な説明】
【００１０】
【図１】この発明の実施形態であるスピーカの外観図
【図２】この発明の実施形態であるヘッドピースおよびスピーカユニットの斜視図
【図３】ヘッドピースおよびスピーカユニットの三面図
【図４】ヘッドピースの透視図
【図５】スピーカユニットから放音される音の進行方向およびＬＥＤから照射される光の進行方向を示す図
【発明を実施するための形態】
【００１１】
図面を参照してこの発明が適用されるスピーカおよびヘッドピースについて説明する。
図１は、この発明の実施形態であるスピーカ１の外観図である。同図（Ａ）は正面図、同図（Ｂ）は左側面図である。この実施形態において、「スピーカ」の語は、発音体であるスピーカユニットとこのスピーカユニットを収容する筺体（スピーカボックス）とを有する装置の名称として用いる。
【００１２】
図示のように、スピーカ１の筐体１１は、略四角柱の形状をなしており、上方向に向けて若干幅が狭まる形状をなしている。すなわち、正確には四角錐台形をなしている。側面の垂直面に対する傾斜は２パーセントである。このスピーカ１は、同図に示されるように、面ではなく、辺（稜線）を正面に向けて設置される。また、スピーカユニット２０，２１，２２は、上面および背面側に設けられており、正面側には設けられていない。正面側には、スピーカユニットに代えてＬＥＤなどの装飾的な照明素子が設けられる。筐体１１の底部には、棒状のピロー１３が設けられている。このピロー１３およびピロー１３の下端に設けられた円板状のベース１４によって、スピーカ１が支持される。このように、縦長の筐体１１を備え、且つ、面でなく稜線（角方向）を正面に設置するスピーカは、その形状が特徴的であるとともに、部屋の隅に設置したときの収まりがよい。
【００１３】
筐体１１の背面側には、背面側のスピーカ２１，２２を覆うスピーカグリル１２が設けられている。上向きに設けられたスピーカユニット２０は、筐体１１の上部に形成された空間であるスピーカボックス３０の上端に固定されている。スピーカユニット２０のさらに上には、本願発明のもう一つの実施形態であるヘッドピース１０が設けられている。スピーカユニット２０、スピーカボックス３０およびヘッドピース１０により、本願発明のスピーカ装置が構成される。
【００１４】
図２は、上記スピーカ１からヘッドピース１０およびスピーカユニット２０を取りだした状態の斜視図である。図３は、ヘッドピース１０およびスピーカユニット２０の三面図である。また、図４は、ヘッドピース１０の透視図であり、内部の回路基板４０を示した図である。以下の説明において、左右方向の記述については、ユーザ視線でスピーカ１を正面から見た場合の左右を用いる。
【００１５】
図２に示すように、ヘッドピース１０は略直方体をなしている。ただし、ヘッドピース１０は筺体１１と一体の形状をなしているため、上方に向けて若干狭まっており、天板１０２の外径（対角線の長さ）は、底板１０３の外径よりも若干小さい。なお、ヘッドピース１０は、放音口１１０を有する上部の本体部１０１と、下部のスカート１０６からなっており、本体部１０１の形状は略立方体である。ヘッドピース１０の底板１０３には、その中央部に円形の開口部１０３Ａが形成されている。開口部１０３Ａの口径は、スピーカユニット２０の口径とほぼ同じである。
【００１６】
略立方体の本体部１０１は、４つの側面を有するが、そのうち正面側の２側面１１１、１１２は切り欠かれて放音口１１０として開口している。背側の２側面１１３、１１４には壁板が設けられており、音声が後方へ広がらないように規制する背板１０４となっている。本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００１７】
上述したように、ヘッドピース１０の底板１０３の周囲には、下方に向けて、スカート１０６が形成されている。スカート１０６の高さは、ヘッドピース１０全体の高さの四分の一程度である。スカート１０６の下端がスピーカユニット２０のフランジ２０Ａと当接するように組み付けられる。組み付けられた状態で、スピーカユニット２０とヘッドピース１０とは、その中心軸を共有している。
【００１８】
ヘッドピース１０とスピーカユニット２０は、一緒にネジ止めされ、筐体１１に固定される。これにより、スピーカユニット２０はスピーカボックス３０の上端に取り付けられる。スピーカボックス３０の上端は、スピーカユニット２０のフランジ２０Ａの形状に開口しており、上にスピーカユニット２０が取り付けられることにより、開口がふさがれて内部に閉空間が形成される。
【００１９】
スピーカユニット２０とヘッドピース１０の底板１０３との間には、スカート１０６の高さ分の空間１２０が形成される。この空間１２０に、回路基板４０が設けられる。回路基板４０は、スピーカユニット２０および底板１０３の開口部１０３Ａの位置を避けて、手前左側すなわち開口した左側面１１１の下側近傍に設けられる。この回路基板４０上にＬＥＤ４１が設けられる。ＬＥＤ４１はヘッドピース１０の手前中央すなわち正面側の先端部に設けられる。ＬＥＤ４１をこの位置に設けたことにより、ユーザから直接見えることはない。ユーザが覗き込んでも天板１０２があるために見えることはない。
【００２０】
図５は、ヘッドピース１０内を伝搬する音の進行方向と光の進行方向とを示す図である。スピーカユニット２０は、ヘッドピース１０の下方且つ同じ中心軸で真上に向けて設置されており、ヘッドピース１０のリフレクタ１０５の面は約４５度であるため、スピーカユニット２０から上方向に放音された音声は、図中の矢印２０１で示すようにリフレクタ１０５で反射されて左右の斜め前方に広がるように伝搬される。これにより、スピーカユニット２０から音声が上向きに放音されても、リフレクタ１０５で反射されて損失少なく前方左右方向に伝搬することが可能になる。また、前面にスピーカグリルを設ける必要がなくなるため、前面のデザインの自由度も向上する。
【００２１】
また、リフレクタ１０５を含むヘッドピース１０は樹脂で成形されたものであり、平滑であるが鏡面ではない。すなわち、音波であれば正反射すると考えてよいが、光のように短い波長のものは乱反射すると考えられる。乱反射とは、入射した光があらゆる方向に反射することであり、あたかもそこが明るく（光っているように）見える現象である。ＬＥＤ４１は、底板１０３の下の空間１２０の手前側に設けられているため、ユーザから見えることはない。そして、このＬＥＤ４１が点灯すると、図中の矢印２０２で示すようにヘッドピース１０の内側、すなわち、天板１０２、背板１０４およびリフレクタ１０５が照明される。とりわけリフレクタ１０５が強く光を受けて乱反射を生じ明るく光る（なお、図中、乱反射光の矢印は省略している）。これにより、スピーカ１は、音楽を再生するのみでなく装飾的な雰囲気を演出することができる。
【００２２】
なお、スピーカ１およびヘッドピース１０は、以上説明した形状に限定されない。本願発明の趣旨を損なわない範囲で変形は自由である。
【符号の説明】
【００２３】
１  スピーカ（装置）
１０  ヘッドピース
１１  筐体
２０  スピーカユニット
４０  回路基板
４１  ＬＥＤ
１０１  本体部
１０２  天板
１０３  底板
１０３Ａ  開口部
１０４  背板
１０５  リフレクタ
【図１】
2014216741.tif 000003
【図４】
2014216741.tif 000004
【図５】
2014216741.tif 000005
【図２】
2014216741.tif 000006
【図３】
2014216741.tif 000007